(57)【要約】【課題】  通信機能を有する情報端末機器の電源オフ方法に関して簡単かつ間違いのない方法で電源オフをして、知らない間に電源オンになることを防止する。また電源オンオフ操作をもっと簡単に出来るように提供する。【解決手段】  メモリ部に予め電源オフ設定プログラムを記録し、電源オフ時または電源オフ設定時に電源オフ設定プログラムを起動させタイマー機能設定なしの時はそのまま電源オフとし、設定ありの時は設定内容を報知させ簡単に変更（設定オフ）出来るようにする。またメモリ部に予め電源オンオフプログラムを記録し、電源オン時は第二の入力手段によって電源オフとし、電源オン時は第三の入力手段によって電源オンになるようにする。更に機能・記号ボタンに第四の入力手段を設け、通信時第四の入力手段によって通信が切断となるようにする。【選択図】図１
2005073224.tif 000002
【特許請求の範囲】
【請求項１】
通信機能を有する情報端末機器において、
電源オフ時であっても設定時刻に起動するタイマー機能を有し、
電源オフ時または電源オフ設定時タイマー機能設定なしの時はそのまま電源オフとし、設定ありの時は設定内容を報知する手段（以下電源オフ設定プログラムという）と、
を備えたことを特徴とする電源オフシステム。
【請求項２】
通信機能を有する情報端末機器において、
電源オフ時であっても設定時刻に起動するタイマー機能を有し、
二種類の電源オフ手段を有し、第一の手段による電源オフ時はタイマー設定をそのまま有効とし、第二の手段による電源オフ時はタイマー設定を無効にする手段と、
を備えたことを特徴とする電源オフシステム。
【請求項３】
請求項１および請求項２に記載の電源オフ方法を情報端末機器に実行させるためのプログラムとして記録した読み取り可能な記録媒体。
【請求項４】
機能・数字・文字・記号等の入力手段（以下第一の入力手段という）を有する電子機器において、
前記入力手段に第二の入力手段（以下電源オフ機能という）を設け、
電源オン時、前記第二の入力手段の操作によって電源オフとなる手段と、
を備えたことを特徴とする電源オフシステム。
【請求項５】
機能・数字・文字・記号等の第一の入力手段を有する電子機器において、
前記入力手段に第三の入力手段（以下電源オン機能という）を設け、
電源オフ時、前記入力手段の操作によって電源オンとなる手段と、
を備えたことを特徴とする電源オンシステム。
【請求項６】
機能・数字・文字・記号等の第一の入力手段を有する電子機器において、
前記入力手段に第二の入力手段の電源オフ機能と第三の入力手段の電源オン機能（以下電源オンオフプログラムという）を設け、
電源オン時、前記第二の入力手段の操作によって電源オフとなる手段と、
電源オフ時、前記第三の入力手段の操作によって電源オンとなる手段と、
を備えたことを特徴とする電源オンオフシステム。
【請求項７】
通信機能を有する情報端末機器において、
電源オフ時であっても設定時刻に起動するタイマー機能を有し、
機能・数字・文字・記号等の第一の入力手段に第二の入力手段の電源オフ手段を設け、
前記第一の入力手段を二つに区分し、第一区分操作による電源オフのときはタイマー機能をそのまま有効とし、第二区分操作による電源オフのときはタイマー機能を解除する手段と、
を備えたことを特徴とする電源オフシステム。
【請求項８】
通信機能を有する情報端末機器において、
機能または記号の第一の入力手段に第四の入力手段（以下通信切断機能という）を設け、
通信時、前記機能ボタンまたは記号入力ボタンの操作によって通信が切断となる手段と、
を備えたことを特徴とする通信切断システム。
【請求項９】
請求項４、請求項５、請求項６、請求項７および請求項８に記載の電源オンオフプログラムおよび通信切断方法を電子機器に実行させるためのプログラムとして記録した読み取り可能な記録媒体。
【発明の詳細な説明】
【技術分野】
【０００１】
本発明は、通信機能を有する情報端末機器の電源オフ動作、詳しくは電源オフ時にタイマー機能の設定内容の報知または設定内容の変更および記録媒体に関するものである。
また機能・数字・文字・記号等の入力手段を有する電子機器の電源オンオフに関するものである。さらに通信機能を有する情報端末機器において通信の切断方法に関するものである。
【背景技術】
【０００２】
携帯電話機等の情報端末機器ではタイマー機能を有している。例えば自動電源オン機能、アラーム機能、スケジュール機能、タイマーメール等が提供されている。これらの機能は情報端末機器の電源がオフであっても設定時刻になると自動的に電源オン、アラーム報知、スケジュール報知、メールの自動送信を実行するものである。実行後は通常そのまま電源オンを継続する。
また情報端末機器、卓上電子計算機等の電子機器は電源スイッチを有し、ユーザーは適宜電源スイッチをオンオフしていた。
【０００３】
携帯電話機等の情報端末機器は電源オン（待ち受け状態）することによって基地局との間で定期的に交信して位置登録等の確認がなされる。そのため病院内や航空機内では医用機器やレーダー装置等に電波障害が発生しないように電源を切るように案内される。更に自動電源オン、アラームやスケジュール機能等が不意に動作しないように設定をオフにしていた。
【特許文献１】特公平０５−３５９３２
【発明の開示】
【発明が解決しようとする課題】
【０００４】
しかしながら、タイマー機能の設定をオンにしたまま電源オフして鞄やポケット内で知らない間に電源オンになることがあった。また自動電源オフ設定で電源をオフする場合も他のタイマー機能の設定をオンのまま自動電源オフ後に本人の知らない間に自動的に電源オンすることがあった。
また電子機器や情報端末機器等において多機能化が進みボタンやスイッチの数が多くなるという欠点があった。
【０００５】
本発明は、上記事情に鑑みてなされたもので、電源オフ操作時、または自動電源オフ設定時にタイマー機能が設定されていることを報知する、またはタイマー機能の設定を変更する機能を設けようとしたものである。また電源オンオフ操作および通信の切断操作をもっと簡単にし、更には電源スイッチをも廃止することを目的とする。
【課題を解決するための手段】
【０００６】
本発明は、通信機能を有する情報端末機器において、電源オフ時であっても設定時刻に起動するタイマー機能を有し、電源オフ時または電源オフ設定時タイマー機能設定なしの時はそのまま電源オフとし、設定ありの時は設定内容を報知するようにしたものである。
電源オフ設定プログラムとは電源オフ時または自動電源オフ設定時にタイマー機能の設定なしのときはそのまま電源オフとし、設定有りのときは設定内容を報知する手段をいう。ここで言う報知とは画面表示、音や光によるもの、バイブレータによるもの、あるいはこれらを組み合わせた手段によるものを指す。
【０００７】
また本発明は、通信機能を有する情報端末機器において、電源オフ時であっても設定時刻に起動するタイマー機能を有し、二種類の電源オフ手段を有し、第一の手段による電源オフ時はタイマー設定をそのまま有効とし、第二の手段による電源オフ時はタイマー設定を無効にするようにしたものである。
【０００８】
また本発明は、請求項１および請求項２に記載の電源オフ方法を情報端末機器に実行させるためのプログラムとして記録した読み取り可能な記録媒体としたことである。また記録媒体にはインターネット上で交信される情報についても含むものとする。
【０００９】
また本発明は、機能・数字・文字・記号等の第一の入力手段を有する電子機器において、前記入力手段に第二の入力手段を設け、電源オン時、前記第二の入力手段の操作によって電源オフとなるようにしたものである。ここで言う電子機器とは電子機器本体のみならずリモコン装置も含むものである。
【００１０】
また本発明は、機能・数字・文字・記号等の第一の入力手段を有する電子機器において、前記入力手段に第三の入力手段を設け、電源オフ時、前記入力手段の操作によって電源オンとなるようにしたものである。
【００１１】
また本発明は、機能・数字・文字・記号等の第一の入力手段を有する電子機器において、前記入力手段に第二の入力手段の電源オフ機能と第三の入力手段の電源オン機能を設け、電源オン時、前記第二の入力手段の操作によって電源オフとなる手段と、電源オフ時、前記第三の入力手段の操作によって電源オンとなるようにしたものである。
【００１２】
また本発明は、通信機能を有する情報端末機器において、電源オフ時であっても設定時刻に起動するタイマー機能を有し、機能・数字・文字・記号等の第一の入力手段に電源オフ手段を有し、前記第一の入力手段を二つに区分し、第一区分操作による電源オフのときはタイマー機能をそのまま有効とし、第二区分操作による電源オフのときはタイマー機能を解除するようにしたものである。
【００１３】
また本発明は、通信機能を有する情報端末機器において、機能または記号の第一の入力手段に第四の入力手段を設け、通信時、前記機能ボタンまたは記号入力ボタンの操作によって通信が切断となるようにしたものである。
【００１４】
また本発明は、請求項４、請求項５、請求項６、請求項７および請求項８に記載の電源オンオフプログラムおよび通信切断方法を電子機器に実行させるためのプログラムとして記録した読み取り可能な記録媒体としたことである。
【発明の効果】
【００１５】
以上説明したように本発明によれば、航空機搭乗前アナウンスによって電源オフした場合等においてタイマー機能の設定がなされていることを知らしめ設定をオフするように案内することができるので、知らない間に電源オンになることを防ぐことが出来る。また電源オフ時に予めタイマー機能の設定が分かっているときは電源オフ方法を選択してタイマー設定をオフに変更することができる。また電源オフ操作によって現在のタイマー機能の設定内容を簡単に知ることが出来る。
また電源オン時、機能・数字・文字・記号等のボタン操作によって電源オフすることが出来る。また電源オフ時、機能・数字・文字・記号等のボタン操作によって電源オンすることが出来る。結果として大半のボタン操作によって電源オンオフすることができ使いやすいものになる。更に通信時機能ボタンまたは記号ボタンを操作することによって通信終了することができる。以上のことから電源ボタンまたは終了ボタンを廃止することが出来る。
【発明を実施するための最良の形態】
【００１６】
図１は本発明の一実施形態に係る携帯電話機の構成を示すブロック図である。本発明は通信機能を有する情報端末機器に適用されるものであり、本実施形態では携帯電話機の構成を例にして説明を行う。
【００１７】
本実施形態の携帯電話機は、アンテナ１０１、アンテナ共用器１０２、受信部１０３、発信部１０４、制御部１０５、音声部１０６、スピーカ１０７、マイク１０８、バイブレータ１０９、駆動回路１１０、内蔵電池１１１、メモリ１１２、ＳＲＡＭ１１３、ＦＲＯＭ１１４、電話帳１１４ａ、電源オフ設定プログラム１１４ｂ、電源オンオフプログラム１１４ｃ、ＤＲＡＭ１１５、表示部１１６、入力操作部１１７、電源ＩＣ１１８、ベースバンドＩＣ１１９、時計ＩＣ１２０、水晶１２１、ＦＥＴ１２２、充電アダプター１２３、電池パック１２４を有して構成される。入力操作部１１７には電源ボタン１１７ａ（図示せず）が含まれる。
【００１８】
通話時には、アンテナ１０１で受信された受信信号がアンテナ共用器１０２を介して受信部１０３に入り復調される。この復調信号はベースバンドＩＣ１１９で復号化などの処理がなされた後、音声部１０６によりアナログ化されて受話用のスピーカ１０７より音声出力される。一方、送話用のマイク１０８より入力された通話音声は音声部１０６より音声情報としてベースバンドＩＣ１１９に送られて符号化などの処理がなされる。符号化された送信データは発信部１０４で変調されて更に電力増幅され、アンテナ共用器１０２を介してアンテナ１０１から送信される。
【００１９】
表示部１１６は、液晶表示パネル（ＬＣＤ）等からなり、通常、現在の日付や時刻、受信感度、電話帳呼び出し時の名前一覧、着信履歴表示、発信履歴表示、着信時の着信表示などを表示する。さらにユーザーがボタン操作で入力した電話番号や暗証番号なども表示される。
【００２０】
本実施形態では、工場出荷時に予め電源オフ設定プログラム１１４ｂをＦＲＯＭ１１４に格納し、またタイマー機能の設定内容は制御部１０５の処理によりＳＲＡＭ１１３に記憶され、電源オフ時または電源オフ設定時にタイマー機能設定状況をユーザーに報知するように構成する。設定内容の報知は表示部１１６に画面表示される。またユーザーの設定によってはバイブレータ１０９による振動、または音声による報知も可能とする。また電源オンオフプログラム１１４ｃをＦＲＯＭ１１４に格納し、電源オン時は第二の入力手段、電源オフ時は第三の入力手段が有効になるように設定される。
【００２１】
図２は請求項１おける電源オフ時のフローチャートである。ステップ２０２の電源オフ操作（電源ボタン１１７ａ長押し）によってステップ２０３に進み「タイマー機能設定有無」で「設定あり」ならステップ２０４に進み「タイマー機能設定中です」が表示されステップ２０５に進み「タイマー設定を継続しますか？」を表示し、「Ｙｅｓ」を選択するとステップ２０６の「タイマー設定継続」を経て、ステップ２０７「電源オフ」となり、ステップ２０８で「タイマー起動」となる。ステップ２０３の「タイマー機能設定有無」で「設定なし」の時はステップ２０９「タイマー設定なし・解除」を経て、ステップ２１０の「電源オフ」となる。この後はステップ２１１の「ユーザー操作による電源オン」に移行し待ち受け状態となる。またステップ２０５で「Ｎｏ」を選択した時はステップ２０９「タイマー設定なし・解除」を経てステップ２１０「電源オフ」に進み、ステップ２１１「ユーザー操作による電源オン」となる。タイマー機能設定有無の判断は制御部１０５が行うものである。ステップ２０２の「電源オフ操作」を「自動電源オフ設定」に置き換えても同様の手順を踏む。
本実施例では、報知後の設定変更を組み入れて説明した。またステップ２０３「タイマー機能設定有無」で「設定なし」の時はそのままステップ２０９、２１０、２１１に進んだが「タイマー設定なし」を表示後ステップ２０９、ステップ２１０に進めてもよいものである。
【００２２】
図３は請求項２おける電源オフ時のフローチャートである。ステップ３０２の「病院内または航空機内？」に対して「Ｎｏ」ならステップ３０３の「第一の電源オフ手段」を選択し、ステップ３０４の「電源オフ操作」、ステップ３０５の「電源オフ」、ステップ３０６の「タイマー設定有効」を経て、ステップ３０７の「タイマー起動」となる。ステップ３０２で「Ｙｅｓ」ならステップ３０８の「第二の電源オフ手段」を選択し、ステップ３０９の「電源オフ操作」、ステップ３１０の「電源オフ」、ステップ３１１の「タイマー設定無効」を経てステップ３１２の「ユーザー操作による電源オン」となる。すなわち病院入り口または航空機搭乗前に第二の電源オフ手段で電源オフすることによってタイマー設定を自動的にオフにすることができる。
ここで言う第二の電源オフ手段とは、従来における電源ボタンの長押し以外の方法で電源をオフすることである。例えば二つのボタンを同時に押す、または特定のボタン押下後電源ボタンを押す、あるいは電源ボタンを連続二度押し等の手段である。これら第二の電源オフ手段でタイマー設定内容を強制的に無効にしようとするものである。
【００２３】
図４は請求項４、請求項５、請求項６、請求項７における電源オンオフプログラムをフローチャート形式で表したものある。ここでは携帯電話の操作手順を例に説明する。ステップ４０２の「電源オン？」に対して「Ｙｅｓ」ならステップ４０３の「電源オン状態（待ち受け時）」に進み、ステップ４０４の「機能・文字・数字等を入力する」のときはステップ４０５の「機能・文字・数字等ボタン短押し」によってステップ４０６の「機能・文字・数字等の入力」が達成される。これを「第一の入力手段」と呼ぶ。ステップ４０３の「電源オン状態（待ち受け時）」からステップ４０７の「電源を切る」のときはステップ４０８の「機能・文字・数字等ボタン長押し」によってステップ４０９の「電源オフ状態」となる。これを「第二の入力手段」と呼ぶ。ステップ４０２の「電源オン？」に対して「Ｎｏ」ならステップ４１０の「電源オフ状態」であり、ステップ４１１の「電源を入れる」のときはステップ４１２の「機能・文字・数字等ボタン長押し」によってステップ４１３の「電源オン状態（待ち受け時）」となる。これを「第三の入力手段」と呼ぶ。ステップ４０４、４０７、４１１は操作の目的、ステップ４０５、４０８、４１２は操作方法、ステップ４０６、４０９、４１３は操作の結果である。ここでは分かり易くするために第一の入力手段を短押しとして、第二および第三の入力手段をボタンの長押しとして説明した。短押しとは短時間押す操作、長押しとは一秒以上押し続ける操作のことをいうが、第二、第三の操作手段は長押しに限定されるものではない。
【００２４】
図５は携帯電話５０１の操作部の外観図である。１１６は表示部、５０１ａは機能ボタン群、５０１ｂはダイヤルボタン群、５０１ｃは記号ボタン群である。ユーザーはダイヤルボタン５０１ｂと発信ボタン５０１ｄを押して電話をかける。機能ボタン群５０１ａ（発信ボタン５０１ｄを除く）または記号ボタン群５０１ｃを押して終話する。通話中の発信ボタン操作は三者通話における呼の切り替え等に使われているのでここでは除くとした。
【図面の簡単な説明】
【００２５】
【図１】本発明の一実施形態に係る携帯電話機の構成を示すブロック図である。
【図２】本発明の一実施形態に係る携帯電話機における第一の電源オフのフローチャートである。
【図３】本発明の一実施形態に係る携帯電話機における第二の電源オフのフローチャートである。
【図４】本発明の一実施形態に係る携帯電話機における電源オンオフプログラムである。
【図５】本発明の一実施形態に係る携帯電話機の操作部の外観図である。
【符号の説明】
【００２６】
１０１    アンテナ
１０２    アンテナ共用器
１０３    受信部
１０４    発信部
１０５    制御部
１０６    音声部
１０７    スピーカ
１０８    マイク
１０９    バイブレータ
１１０    駆動回路
１１１    内蔵電池
１１２    メモリ
１１３    ＳＲＡＭ（Static Random Access Memory）
１１４    ＦＲＯＭ（Flash Read Only Memory）
１１４ａ  電話帳
１１４ｂ  電源オフ設定プログラム
１１４ｃ  電源オンオフプログラム
１１５    ＤＲＡＭ（Dynamic Random Access Memory）
１１６    表示部
１１７    入力操作部
１１８    電源ＩＣ
１１９    ベースバンドＩＣ
１２０    時計ＩＣ
１２１    水晶
１２２    ＦＥＴ
１２３    充電アダプター
１２４    電池パック
５０１    携帯電話
５０１ａ  機能ボタン群
５０１ｂ  文字・数字ボタン群
５０１ｃ  記号ボタン群
５０１ｄ  発信ボタン
【図１】
2005073224.tif 000003
【図２】
2005073224.tif 000004
【図３】
2005073224.tif 000005
【図４】
2005073224.tif 000006
【図５】
2005073224.tif 000007